(57)【要約】【課題】  エアフィルタの清掃時におけるトラブル発生を防止することができる室内機ユニットおよび空気調和機を提供する。【解決手段】  天井に設置される筐体と、筐体内に室内空気を流入させる吸入部が設けられた枠体１１９と、吸入部から流入する塵埃を捕集するエアフィルタ３１と、エアフィルタ３１に付着した塵埃を取り除き、捕集する塵埃除去部３３と、枠体１１９が筐体から離れたときに、枠体１１９と塵埃除去部３３との相対位置を固定する固定部２５１と、が設けられていることを特徴とする。【選択図】  図１１
2007232243.tif 000002
【特許請求の範囲】
【請求項１】
天井に設置される筐体と、
該筐体内に室内空気を流入させる吸入部が設けられた枠体と、
該吸入部から流入する塵埃を捕集するエアフィルタと、
前記エアフィルタに付着した塵埃を取り除き、捕集する塵埃除去部と、
前記枠体が前記筐体から離れたときに、前記枠体と前記塵埃除去部との相対位置を固定する固定部と、
が設けられていることを特徴とする室内機ユニット。
【請求項２】
前記固定部には、前記枠体が前記筐体に対して接触または離間したことを検出する検出部が設けられていることを特徴とする請求項１記載の室内機ユニット。
【請求項３】
前記枠体を前記筐体から昇降可能に支持する昇降部が設けられたことを特徴とする請求項１または２に記載の室内機ユニット。
【請求項４】
請求項１から請求項３のいずれかに記載の室内機ユニットと、
該室内機ユニットとともに冷媒が循環する冷媒回路を構成する室外機ユニットと、
が設けられていることを特徴とする空気調和機。
【発明の詳細な説明】
【技術分野】
【０００１】
本発明は、室内機ユニットおよび空気調和機に関する。
【背景技術】
【０００２】
従来、空気調和機の室内機ユニットは、室内空気を内部に吸入し、その温度を調整した後、再び室内へ温度調整された室内空気を吹き出している。この際に、室内空気中に浮遊する塵埃を捕集し、室内機ユニット内に侵入するのを防ぐエアフィルタが、室内機ユニットの吸入口に設けられている。
室内機ユニットを運転し続けると、エアフィルタには捕集された塵埃が蓄積される。すると、エアフィルタにおける室内空気の流通抵抗が増加し、室内機ユニットの効率が低下する問題があった。一方、蓄積された塵埃にカビなどが発生する恐れもあった。
上述の問題を解決するためには、エアフィルタに蓄積された塵埃を取り除く必要があった。
【０００３】
しかしながら、通常、室内機ユニットは高所に設置されることが多く、エアフィルタの清掃を行うことは容易でなかった。特に、天井埋め込み式室内機ユニットや、天井吊り下げ式室内機ユニットは、設置位置が天井に近くエアフィルタの清掃作業が困難を伴うものであった。
そのため、高所に設置されたエアフィルタの清掃に関するさまざまな技術が提案されている（例えば、特許文献１から３参照。）。
【特許文献１】特開平９−１８４６５６号公報
【特許文献２】特開平１１−２２６３３１号公報
【特許文献３】特開２００４−３４０５０７号公報
【発明の開示】
【発明が解決しようとする課題】
【０００４】
エアフィルタから塵埃を取り除く方法としては、エアフィルタの下面に配置したブラシなどの除去部をエアフィルタに沿って移動させる方法が知られている。かかる場合には、除去部を移動させる駆動部は、室内機ユニットの本体内に配置されることが多い。
このような構成において、エアフィルタおよび除去部を、室内機ユニットの本体から切り離し、下に降ろして除去部に溜まった塵埃を除去する方法が考えられる。
【０００５】
エアフィルタおよび除去部を室内機ユニットから切り離した場合、除去部は、室内機ユニット内の駆動部と切り離された状態となる。駆動部から切り離されると、除去部は、エアフィルタに沿って自由に移動できるようになる。すると、エアフィルタおよび除去部を昇降させる際に、除去部の位置がずれてしまい、除去部の破損などのトラブルが発生する恐れがあった。
【０００６】
本発明は、上記の課題を解決するためになされたものであって、エアフィルタの清掃時におけるトラブル発生を防止することができる室内機ユニットおよび空気調和機を提供することを目的とする。
【課題を解決するための手段】
【０００７】
上記目的を達成するために、本発明は、以下の手段を提供する。
本発明の室内機ユニットは、天井に設置される筐体と、該筐体内に室内空気を流入させる吸入部が設けられた枠体と、該吸入部から流入する塵埃を捕集するエアフィルタと、前記エアフィルタに付着した塵埃を取り除き、捕集する塵埃除去部と、前記枠体が前記筐体から離れたときに、前記枠体と前記塵埃除去部との相対位置を固定する固定部と、が設けられていることを特徴とする。
【０００８】
本発明によれば、固定部が設けられているため、エアフィルタの清掃時におけるトラブル発生を防止することができる。
固定部は、筐体から枠体が離れたときに、枠体と塵埃除去部との相対移動を規制することができる。つまり、筐体から枠体および塵埃除去部が離れて昇降している間は、塵埃除去部は枠体に固定され、塵埃除去部の位置のずれが防止される。例えば、エアフィルタの清掃時において、筐体から枠体および塵埃除去部を降ろす場合や、筐体へ枠体および塵埃除去部を上げる場合に、塵埃除去部の位置のずれが防止されるため、塵埃除去部の破損等の発生が防止される。
【０００９】
上記発明においては、前記固定部には、前記枠体が前記筐体に対して接触または離間したことを検出する検出部が設けられていることが望ましい。
【００１０】
本発明によれば、固定部に検出部が設けられているため、筐体から枠体が離れたときに、確実に枠体と塵埃除去部との相対移動を固定することができる。
固定部に検出部が設けられたことにより、固定部は、筐体から枠体が離間したときに、枠体と塵埃除去部との相対移動を固定することができる。または、固定部は、枠体が筐体に接触したときに、枠体と塵埃除去部との固定を解除することができる。
【００１１】
上記発明においては、前記枠体を前記筐体から昇降可能に支持する昇降部が設けられたことが望ましい。
【００１２】
本発明によれば、昇降部が設けられているため、エアフィルタの清掃などを容易にすることができる。
昇降部は、枠体と枠体に備えられたエアフィルタと塵埃除去部とを昇降可能に支持するため、筐体からエアフィルタと塵埃除去部とを降ろすことができる。そのため、塵埃除去部に貯留された塵埃を容易に取り除くことができる。また、作業者が直接エアフィルタの清掃を行うことができる。
【００１３】
本発明の空気調和機は、上記本発明の室内機ユニットと、該室内機ユニットとともに冷媒が循環する冷媒回路を構成する室外機ユニットと、が設けられていることを特徴とする。
【００１４】
本発明によれば、上記本発明の室内機ユニットを備えるため、空気調和機におけるエアフィルタ清掃時のトラブル発生を防止することができる。
【発明の効果】
【００１５】
本発明の室内機ユニットおよび空気調和機によれば、固定部が設けられているため、筐体から枠体が離れたときに、枠体と塵埃除去部との相対移動を規制することができ、エアフィルタの清掃時におけるトラブル発生を防止することができるという効果を奏する。
【発明を実施するための最良の形態】
【００１６】
この発明の一実施形態に係る空気調和機について、図１から図１５を参照して説明する。
図１は、本実施形態に係る空気調和機の全体構成を説明する図である。
空気調和機１は、図１に示すように、天井に設置される室内機ユニット３と、室外に設置される室外機ユニット５と、室内機ユニット３と室外機ユニット５との間で冷媒を循環させる冷媒流路７と、から概略構成されている。
室外機ユニット５は、図１に示すように、冷媒を圧縮する圧縮機９と、冷媒と室外空気との間で熱交換を行なう室外熱交換器１１と、室外ファン１３と、から概略構成されている。
【００１７】
図２は、図１の室内機ユニットの構成を説明する断面図である。
室内機ユニット３は、図２に示すように、下部に天面パネル１４およびスペーサ１４Ａを有し、天井に埋め込み設置される筐体１５と、室内空気を吸込む吸込口（吸入部）１７が形成された吸込みグリル（枠体）１９と、室内空気を吸込み送り出す室内ファン２１と、室内空気と冷媒との間で熱交換を行なう室内熱交換器２３と、から概略構成されている。
【００１８】
筐体１５内部の上面における略中央には、室内ファン２１を駆動するファンモータ２５が配置され、室内ファン２１およびファンモータ２５の周囲には、室内熱交換器２３が配置されている。室内ファン２１の下方（図２中の下方）には、室内ファン２１に流入する室内空気の流れを整えるベルマウス２７が配置され、ベルマウス２７の下方には、吸込みグリル１９が配置されている。天面パネル１４に設けられた吸込みグリル１９の周囲には、室内ファン２１から室内熱交換器２３を通過した室内空気が、筐体１５から流出する吹出口２９が形成されている。
【００１９】
図３は、図２の室内機ユニットにおける吸込みグリル、天面パネルおよびスペーサの構成を説明する部分斜視図である。
吸込みグリル１９には、図３に示すように、吸入される空気に含まれる塵埃等を除去するエアフィルタ３１と、エアフィルタ３１を清掃する清掃部（塵埃除去部）３３とが備えられている。エアフィルタ３１は、吸込みグリル１９の略中央領域に配置されている。吸込みグリル１９の縁領域である枠部の四隅には、吸込みグリル１９を昇降させるワイヤ（昇降部）６３が配置されている。天面パネル１４上には所定の厚さ寸法を有するスペーサ１４Ａが配置され、該スペーサ１４Ａによって形成される空間には、清掃部３３を駆動するための後述する回転駆動力を発生する駆動モータ１３５と、回転駆動力を往復駆動力に変換する往復動部１３７と、往復駆動力が伝達される上部伝達部１３９と、が天面パネル１４上に設置されたフレーム１４１に保持されて配置されている。
【００２０】
図４は、図３のスペーサおよび天面パネル上に設置されたフレームの構成を説明する分解斜視図である。
スペーサ１４Ａは、図４に示すように、矩形状の枠体から構成され、枠体内の空間には、駆動モータ１３５や往復動部１３７を保持するフレーム１４１が配置されている。なお、スペーサ１４Ａの枠体の中央に形成された貫通孔は、室内機ユニット３に流入する空気の流路であり、周囲に形成された４つの貫通孔は、室内機ユニット３から流出する空気の流路である。
天面パネル１４上に設置されるフレーム１４１には、駆動モータ１３５や往復動部１３７などを支持する支持部１４３が設けられている。支持部１４３は、フレーム１４１における対向する一対の辺であって、略中央部に設けられている。支持部１４３は、フレーム１４１の内周面から内側に向かって突出する凸状の部材であり、駆動モータ１３５と、往復動部１３７とを支持するものである。駆動モータ１３５は、フレーム１４１と支持部１４３との間に配置され、往復動部１３７は、一対の支持部１４３の間に配置されている。
なお、上述のように、フレーム１４１に支持部１４３を設けて、支持部１４３により駆動モータ１３５や往復動部１３７などを支持してもよいし、支持部１４３を設けることなく、フレーム１４１が直接駆動モータ１３５や往復動部１３７などを支持するように構成してもよく、特に限定するものではない。
【００２１】
往復動部１３７は、図４に示すように、駆動モータ１３５により回転駆動される駆動用シャフト１４５と、駆動用シャフト１４５により回転駆動されるウォームギア１４７と、ウォームギア１４７と係合される駆動用ラックギア１４９と、を備えている。
駆動用シャフト１４５は、断面が六角形などの多角形に形成された柱状部材であり、一対の支持部１４３の間に回転可能に支持されている。
ウォームギア１４７は、駆動用シャフト１４５により回転駆動されるとともに、駆動用シャフト１４５の長手方向に移動可能に配置されている。
駆動用ラックギア１４９は、回転駆動されるウォームギア１４７と噛み合わされることにより、ウォームギア１４７が往復移動する駆動力を発生させるものである。駆動用ラックギア１４９は、一対の支持部の間に固定配置されている。
【００２２】
図５は、図４の上部伝達部とウォームギアと組み合わせを説明する部分斜視図である。
駆動力伝達部１５３は、ウォームギア１４７から往復駆動力が伝達される天板１５９と、後述する下部伝達部１７５に往復駆動力を伝達する側板１６１とを備えている。
天板１５９には、矩形状に形成された貫通孔１６３が形成されている。貫通孔１６３には、図５に示すように、上部伝達部１３９と往復動部１３７とが組み合わされた際に、ウォームギア１４７のギア部が配置される。
側板１６１の下方端部には、図４に示すように、後述する下部伝達部１７５と係合される上部係合部１６９が形成されている。上部係合部１６９には、下部伝達部１７５を挟み、往復駆動力を下部伝達部１７５に伝達する上部凹部１７１と、側板１６１から外側に延び、上部伝達部１３９および下部伝達部１７５の間の相対姿勢を規定する押さえ板１７３と、が設けられている。
【００２３】
規制部１５５は、図４に示すように、凹状に折り曲げられた部材であり、その内部に駆動用ラックギア１４９が配置されるように、駆動力伝達部１５３に取り付けられる。
【００２４】
図６は、図３の吸込みグリル上に設けられるエアフィルタおよび清掃部の構成を説明する部分分解斜視図である。
吸込みグリル１９上には、図６に示すように、吸入される空気に含まれる塵埃等を除去するエアフィルタ３１と、エアフィルタ３１を清掃する清掃部３３と、清掃部３３に往復駆動力を伝達する下部伝達部１７５と、が矩形状の台座（枠体）１１９を介して設置されている。
【００２５】
図７は、図６の台座の構成を説明する平面図である。
吸込みグリル１９上に設置される台座１１９は、エアフィルタ３１および清掃部３３を支持する枠体である。台座１１９には、図７に示すように、略中央にエアフィルタ３１が配置される矩形状の貫通孔が形成されている。台座１１９は、回転用ラックギア１７７と、ガイド部１７９と、ガイドリブ１８０と、台座側爪部１８２と、固定部２５１とを備えている。
【００２６】
図８は、図７の回転用ラックギアの形状を説明するＡ−Ａ断面視図である。図９は、図７の台座および清掃部の組み合わせを説明するＢ−Ｂ断面視図である。
回転用ラックギア１７７は、後述する回転ブラシ１８５に回転駆動力を発生させるものである。ガイド部１７９は、清掃部３３を支持するものである。ガイド部１７９および回転用ラックギア１７７は、上記貫通孔の対向する辺に沿った方向であって、清掃部３３の移動方向に沿って延びるように形成されている。
回転用ラックギア１７７は、図８に示すように、台座１１９の面に沿って延びるラックギアであり、図９に示すように、後述する回転ブラシ１８５のピニオンギア１９３と係合されるものである。
ガイド部１７９は、図９に示すように、後述するダストボックス１８７のコロ２０３の案内溝２０７と係合する凸部である案内部１８１と、コロ２０３を支持する支持面１８３とを備えている。
【００２７】
図１０は、図７のガイドリブの形状を説明するＣ−Ｃ断面視図である。
ガイドリブ１８０は、エアフィルタ３１の移動を誘導する一対の誘導部材である。ガイドリブ１８０は、図８に示すように、台座１１９の縁部に、清掃部３３の移動方向に沿って延びるように形成されている。ガイドリブ１８０は、図１０に示すように、誘導部１８０Ａと、規制部１８０Ｂとを備えている。誘導部１８０Ａは、エアフィルタ３１の面に沿って延びるリブであって、エアフィルタ３１の移動を誘導するものである。エアフィルタ３１には、スリット（図示せず）が設けられ、誘導部１８０Ａとスリットとが相対移動可能に嵌め合わされる。
規制部１８０Ｂは、エアフィルタ３１の面に対して交差する方向に延びるリブであって、エアフィルタ３１の移動を規制するものである。規制部１８０Ｂは誘導部１８０Ａの端部に設けられ、規制部１８０Ｂから台座１１９の貫通孔までの距離は、清掃部３３における長手方向に直交する方向の長さよりも長いことが望ましい。このような構成にすることにより、清掃部３３をエアフィルタ３１の下面側から上方へ取り出しやすくすることができるからである。
【００２８】
台座側爪部１８２は、フィルタ側爪部３４と噛み合わされることにより、台座１１９とエアフィルタ３１とを固定するものである。台座側爪部１８２は、図６に示すように、清掃部３３の移動方向に対して交差する方向に延びる台座１１９の縁部の一方（図６における手前側）であって、台座１１９の貫通孔を囲む壁面に設けられている。台座側爪部１８２は、断面がＬ字状に形成された清掃部３３の移動方向に対して交差する方向に延びる一対の部材である。台座側爪部１８２における一方の長辺は、台座１１９の壁面に回動可能に固定されている。台座側爪部１８２における他方の長辺の近傍には、フィルタ側爪部３４と噛み合わされる爪（図示せず）が設けられている。
【００２９】
図１１は、図７のフックの構成を説明するＤ−Ｄ断面図である。
固定部２５１は、台座１１９が筐体１５から離れた際に、清掃部３３を台座１１９に固定するものである。固定部２５１は、図７に示すように、台座１１９における台座側爪部１８２が設けられた縁部の略中央部に設けられている。
固定部２５１は、図１１に示すように、作動体２５３と、バネ２５５と、ケーシング２５７と、底板２５９とを備えている。
作動体２５３は、清掃部３３を台座１１９に固定するものである。作動体２５３は、フック２６１と、ロッド（検出部）２６３と、凹部２６５とを備えている。フック２６１は、後述する挿通孔２８３に挿通され、清掃部３３を台座１１９に固定（清掃部３３と台座１１９との相対移動を固定）するものである。フック２６１は、作動体２５３から清掃部３３に向かって延びるアーム２６７の先端に設けられた、エアフィルタ３１側（図１１における上側）に向かって延びる棒状の部材である。フック２６１のエアフィルタ３１側の端部は、尖った形状に形成されている。ロッド２６３は、吸込みグリル１９と筐体１５またはスペーサ１４Ａとの接触、離間を検出して、台座１１９に対する清掃部３３の固定または解除を制御するものである。ロッド２６３は、エアフィルタ３１側に向かって延びる棒状の部材である。ロッド２６３は、吸込みグリル１９が筐体１５に格納されたときに、その先端が筐体１５またはスペーサ１４Ａと接触して、作動体２５３を押し下げるものである。凹部２６５は、バネ２５５が配置される略円環状の溝である。凹部２６５は作動体２５３における下面（図１１における下側の面）に形成されている。凹部２６５を円環状の溝として形成することにより、中央に形成された凸部がバネ２５５を支持し、バネ２５５の姿勢を安定させることができる。
バネ２５５は、作動体２５３をエアフィルタ３１側へ付勢するものである。バネ２５５は、作動体２５３の下面側（図１１の下側）に配置され、作動体２５３と底板２５９との間に圧縮されて配置されている。
ケーシング２５７は底板２５９とともに内部空間を形成し、作動体２５３とバネ２５５とを空間内に収納するものである。ケーシング２５７は略円筒状に形成された部材であって、エアフィルタ３１側（図１１の上側）の端面には天板２６９が設けられている。天板２６９の中央には、ロッド２６３が挿通される開口２７１が形成されている。また、ケーシング２５７における清掃部３３と対向する領域には、作動体２５３のアーム２６７が上下移動する連通路２７３が形成されている。
底板２５９は、ケーシング２５７とともに内部空間を形成するものであって、バネ２５５を支持するものである。底板２５９における上面（図１１の上側の面）には、上方に延びる円筒部２７５が設けられ、円筒部２７５の内部にはバネ２５５が配置されている。バネ２５５は円筒部２７５により支持され、バネ２５５の姿勢を安定させることができる。
【００３０】
清掃部３３は、図６に示すように、エアフィルタ３１に捕集された塵埃などを除去する回転ブラシ１８５と、回転ブラシ１８５により除去された塵埃などを一時的に貯留するダストボックス１８７と、を備えている。
回転ブラシ１８５は、図９に示すように、回転駆動されるとともにエアフィルタ３１の面に沿って駆動される回転軸１８９と、エアフィルタ３１に捕集された塵埃などを掃き取るブラシ部１９１と、回転軸１８９を回転駆動させるピニオンギア１９３とを備えている。
回転軸１８９には、図６に示すように、その両端にピニオンギア１９３が配置されている。回転軸１８９には、ブラシ部１９１が半径方向外側に向かって延びるように設けられている。本実施形態においては、ブラシ部１９１は、４つのブラシ部１９１の列が回転軸１８９の中心軸線に沿って延びるとともに、回転軸１８９の円周周りに等間隔に配置されるように形成されている。
なお、このブラシ部１９１の列の構成は、上述のように上記中心軸線に沿って延びるように形成されていてもよいし、回転軸１８９周りに螺旋状に延びる様に形成されていてもよく、特に限定するものではない。また、ブラシ部１９１の列の数についても、４つであってもよいし、それよりも多くても良いし、少なくてもよく、特に限定するものではない。
ピニオンギア１９３は回転用ラックギア１７７と係合され、回転ブラシ１８５がエアフィルタ３１の面に沿って移動されることにより、回転軸１８９を回転させる回転駆動力を発生するものである。
【００３１】
ダストボックス１８７は、図６に示すように、下部伝達部１７５から往復駆動力が伝達される本体１９７と、塵埃などを一時的に貯留する貯留部１９９と、を備えている。本体１９７と貯留部１９９とは、その間に回転ブラシ１８５を回転可能に保持するように構成されている。
【００３２】
本体１９７は、図９に示すように、下部伝達部１７５と係合されるブラケット２０１と、本体１９７を往復移動可能に支持するコロ２０３と、を備えている。本体１９７は、図６に示すように、中央に貫通孔が形成された枠体状に形成されているとともに、図９に示すように、長手方向の両端部に回転ブラシ１８５のピニオンギア１９３が配置される凹部が形成されている。
本体１９７には、図１１に示すように、固定部２５１に向かって延びる鍔部２８１が形成されている。鍔部２８１には、固定部２５１のフック２６１が挿通される挿通孔２８３が設けられている。
【００３３】
ブラケット２０１は、上記凹部が形成された両端部に、長手方向へ延びるように配置されている。ブラケット２０１の先端部は、エアフィルタ３１の縁部よりも外側に延びている。ブラケット２０１の先端部は、エアフィルタ３１の縁部よりも外側の領域で下部伝達部１７５と係合されている。
コロ２０３は、上記凹部が形成された両端部の外面に、回転可能に配置されている。コロ２０３は円柱状に形成され、その円柱面には、ガイド部１７９の案内部１８１と嵌め合わされる案内溝２０７が形成されている。
【００３４】
下部伝達部１７５は、図６に示すように、略棒状に形成された部材であって、その長手方向における両端部に清掃部３３のブラケット２０１を把持する把持部２０９が設けられている。
下部伝達部１７５の略中央部には、上部伝達部１３９の上部係合部１６９と係合される下部係合部２１１が形成されている。下部係合部２１１は、下部伝達部１７５における他の部分と比較して、棒状の部材の幅が狭く形成され、この部分が上部係合部１６９の上部凹部６７１と係合される。把持部２０９は、図９に示すように、その先端に清掃部３３と係合されブラケット２０１を把持する下部凹部２１３が形成されている。
【００３５】
次に、上記の構成からなる空気調和機１における作用について説明する。
まず、空気調和機１における冷房運転時の作用について説明する。
冷媒は、図１に示すように、圧縮機９により圧縮され高温高圧の状態で室外熱交換器１１に送り出される。室外熱交換器１１に流入した冷媒は、室外空気に対して熱を放出し、凝縮・液化する。液化した冷媒は、膨張弁を通過する際に減圧され室内熱交換器２３に流入する。室内熱交換器２３に流入した冷媒は、室内空気から熱を奪い、蒸発・気化する。気化した冷媒は再び圧縮機９に流入し、上述のサイクルを繰り返す。
【００３６】
次に空気調和機１における暖房運転時の作用について説明する。
冷媒は、圧縮機９により圧縮され室内熱交換器２３に送り出される。室内熱交換器２３に流入した冷媒は、室内空気に対して熱を放出し、凝縮・液化する。液化した冷媒は、膨張弁を通過する際に減圧され室外熱交換器１１に流入する。室外熱交換器１１に流入した冷媒は、室外熱交換器１１から熱を奪い、蒸発・気化する。気化した冷媒は再び圧縮機９に流入し、上述のサイクルを繰り返す。
【００３７】
次に、室内機ユニット３内における室内空気の流れについて説明する。
室内空気は、図２に示すように、ファンモータ２５により室内ファン２１が回転することにより、吸込口１７から筐体１５内に流入する。筐体１５に流入した室内空気は、エアフィルタ３１を通過し、室内空気に含まれるゴミがエアフィルタ３１に捕集される。
エアフィルタ３１を通過した室内空気は、ベルマウス２７を通過して室内ファン２１に吸込まれる。室内ファン２１に吸込まれた室内空気は、室内ファン２１の半径方向外側へ送り出され、室内熱交換器２３を通過する。
【００３８】
冷房運転時には、室内空気は室内熱交換器２３を通過する際に冷媒に熱を奪われ冷却される。一方、暖房運転時には、室内空気は室内熱交換器２３を通過する際に冷媒から熱を受取り加熱される。
室内熱交換器２３を通過した室内空気は、吹出口２９から室内へ流出する。
【００３９】
次に、本実施形態におけるエアフィルタの清掃における作用について説明する。
上述のように、室内機ユニット３の運転によりエアフィルタ３１に付着したゴミは、清掃部３３をエアフィルタ３１の面に沿って往復動させることにより取り除かれる。
具体的には、駆動モータ１３５の回転駆動力が、図４に示すように、駆動用シャフト１４５に伝達され、ウォームギア１４７が回転駆動される。駆動用ラックギア１４９と係合されたウォームギア１４７は、回転駆動されることにより駆動用シャフト１４５に沿って往復駆動される。ウォームギア１４７の駆動方向は、駆動モータ１３５の回転方向により制御される。ウォームギア１４７の往復動は上部伝達部１３９に伝達され、上部伝達部１３９は、ウォームギア１４７とともに往復動される。
【００４０】
上部伝達部１３９に伝達された往復動は、図５に示すように、上部伝達部１３９から下部伝達部１７５へ伝達される。
下部伝達部１７５に伝達された往復動は、図９に示すように、把持部２０９からエアフィルタ３１の下面側に配置された清掃部３３のブラケット２０１へ伝達される。
ブラケット２０１に伝達された往復動はダストボックス１８７から回転ブラシ１８５へ伝達される。
回転ブラシ１８５は、エアフィルタ３１の下面側を往復動するとともに、ピニオンギア１９３と回転用ラックギア１７７との係合により回転駆動される。回転ブラシ１８５の往復動および回転により、回転ブラシ１８５のブラシ部１９１は、エアフィルタ３１における空気吸入側の面の全面を掃き、エアフィルタ３１に捕集された塵埃などを取り除く。
ブラシ部１９１により取り除かれた塵埃などは、貯留部１９９内に貯留される。
【００４１】
なお、エアフィルタ３１の清掃時、および、室内機ユニット３の運転時においては、吸込みグリル１９は上方へ吊り上げられ、図１１に示すように、固定部２５１のロッド２６３は筐体１５またはスペーサ１４Ａにより押し下げられている。ロッド２６３が押し下げられると作動体２５３に設けられたフック２６１も押し下げられ、フック２６１と挿通孔２８３との係合が解かれる。そのため、清掃部３３は台座１１９に対して自由に移動可能となり、清掃部３３はエアフィルタ３１の清掃を行うことができる。
【００４２】
次に、本実施形態の特徴である貯留部１９９内に貯留された塵埃などの取り除き方法について説明する。
貯留部１９９内に貯留された塵埃量が所定量に到達していた場合には、例えば、室内機ユニット３から使用者に対して貯留部１９９内の塵埃を取り除く必要がある旨の警告が発せられる。
【００４３】
貯留部１９９に貯留された塵埃を取り除く場合には、まず、最初に吸込みグリル１９の吊り下ろしが行われる。図３に示すように、リモコン等の操作によりスプロール等に巻き取られていたワイヤ６３が繰り出される。ワイヤ６３が繰り出されると、吸込みグリル１９は姿勢を略水平に保ったまま筐体１５から吊下ろされる。なお、この時、吸込みグリル１９に配置されたエアフィルタ３１、清掃部３３および下部伝達部１７５なども吸込みグリル１９とともに吊下ろされる。
このとき、駆動モータ１３５から清掃部３３への駆動力伝達経路は、上部伝達部１３９と下部伝達部１７５との間で切り離される。つまり、図５に示すように、下部伝達部１７５がエアフィルタ３１などとともに下降することにより、上部伝達部１３９と下部伝達部１７５との係合が解かれる。吸込みグリル１９が天面パネル１４から降ろされる場合には、清掃部３３はエアフィルタ３１の一方の端部（図３においては、右側の端部）に移動されている。
【００４４】
図１２は、固定部により清掃部が固定された状態を説明する部分斜視図である。
一方、吸込みグリル１９が天面パネル１４から離れると、図１１に示すように、天面パネル１４またはスペーサ１４Ａにより押し下げられていた固定部２５１の作動体２５３が、バネ２５５の付勢力により上方へ押し上げられる。作動体２５３が上方へ押し上げられると、図１２に示すように、フック２６１も押し上げられて挿通孔２８３に挿通される。フック２６１が挿通孔２８３に挿通されると、清掃部３３は固定部２５１つまり台座１１９に対して固定される。
【００４５】
図１３は、図３のエアフィルタから清掃部を取り外す方法を説明する図である。
吸込みグリル１９が吊下げられると、図１３に示すように、エアフィルタ３１がスライド移動される。エアフィルタ３１は、図１１に示すガイドリブ１８０の誘導部１８０Ａに誘導されて、エアフィルタ３１の面に沿ってスライド移動する。スライド移動したエアフィルタ３１は、ガイドリブ１８０の規制部１８０Ｂと接触して移動が規制される。エアフィルタ３１が移動することにより、エアフィルタ３１と台座１１９の壁面との間に形成された隙間から清掃部３３が露出する。
【００４６】
図１４は、図３のエアフィルタから清掃部を取り外す方法を説明する図である。図１５は、図１４のエアフィルタから清掃部を取り外す方法を説明する図である。
そして、清掃部３３および下部伝達部１７５は、図１４に示すように、上記隙間を通って、エアフィルタ３１の下面側から上方へ取り出される。
取り出された清掃部３３からは下部伝達部１７５が取り外され、図１５に示すように、ダストボックス１８７の本体１９７と貯留部１９９とが分離され、貯留部１９９内に貯留された塵埃が取り除かれる。
塵埃が貯留部１９９から取り除かれると、再び、清掃部３３は台座１１９に配置される。このとき、固定部２５１のフック２６１を清掃部３３の挿通孔２８３に挿通させることで、清掃部３３と台座１１９との相対位置を決めることができる。
以後、上述の工程を逆にたどることにより、吸込みグリル１９が上方へ引き上げられる。
吸込みグリル１９が上方へ吊り上げられると、固定部２５１のロッド２６３は筐体１５またはスペーサ１４Ａにより押し下げられる。ロッド２６３が押し下げられると作動体２５３に設けられたフック２６１も押し下げられ、フック２６１と挿通孔２８３との係合が解かれる。そのため、清掃部３３は台座１１９に対して自由に移動可能となる。
【００４７】
上記の構成によれば、固定部２５１が設けられているため、エアフィルタ３１の清掃時におけるトラブル発生を防止することができる。
固定部２５１は、筐体１５から吸込みグリル１９が離れたときに、台座１１９と清掃部３３との相対移動を規制することができる。つまり、筐体１５から吸込みグリル１９（台座１１９および清掃部３３）が離れて昇降している間は、清掃部３３は台座１１９に固定され、清掃部３３の位置のずれが防止される。例えば、エアフィルタ３１の清掃時において、筐体１５から台座１１９および清掃部３３を降ろす場合や、筐体１５へ台座１１９および清掃部３３を上げる場合に、清掃部３３の位置のずれが防止されるため、清掃部３３の破損等の発生が防止される。
【００４８】
固定部２５１にロッド２６３が設けられているため、筐体１５から吸込みグリル１９が離れたときに、確実に台座１１９と清掃部３３との相対移動を固定することができる。
固定部２５１にロッド２６３が設けられたことにより、固定部２５１は、筐体１５から台座１１９が離間したときに、台座１１９と清掃部３３との相対移動を固定することができる。または、固定部２５１は、台座１１９が筐体１５またはスペーサ１４Ａに接触したときに、台座１１９と清掃部３３との固定を解除することができる。
【００４９】
ワイヤ６３が設けられているため、エアフィルタの清掃などを容易にすることができる。
ワイヤ６３は、台座１１９と台座１１９に備えられたエアフィルタ３１と清掃部３３とを昇降可能に支持するため、筐体１５からエアフィルタ３１と清掃部３３とを降ろすことができる。そのため、清掃部３３に貯留された塵埃を容易に取り除くことができる。また、作業者が直接エアフィルタ３１の清掃を行うことができる。
【００５０】
なお、本発明の技術範囲は上記実施形態に限定されるものではなく、本発明の趣旨を逸脱しない範囲において種々の変更を加えることが可能である。
例えば、上記の実施の形態においては、室内機ユニットと室外機ユニットとが一対一に対応する空気調和機に適用して説明したが、その他にも、複数台の室内機ユニットに対して一台の室外機ユニットが対応する空気調和機や、複数台の室内機ユニットに対して複数台の室外機ユニットが対応する空気調和機に適用してもよく、特に限定するものでない。
【図面の簡単な説明】
【００５１】
【図１】本発明の第１の実施形態に係る空気調和機の全体構成を説明する図である。
【図２】図１の室内機ユニットの構成を説明する断面図である。
【図３】図２の室内機ユニットにおける吸込みグリル、天面パネルおよびスペーサの構成を説明する部分斜視図である。
【図４】図３のスペーサおよび天面パネル上に設置されたフレームの構成を説明する分解斜視図である。
【図５】図４の上部伝達部とウォームギアと組み合わせを説明する部分斜視図である。
【図６】図３の吸込みグリル上に設けられるエアフィルタおよび清掃部の構成を説明する部分分解斜視図である。
【図７】図６の台座の構成を説明する平面図である。
【図８】図７の回転用ラックギアの形状を説明するＡ−Ａ断面視図である。
【図９】図７の台座および清掃部の組み合わせを説明するＢ−Ｂ断面視図である。
【図１０】図７のガイドリブの形状を説明するＣ−Ｃ断面視図である。
【図１１】図７のフックの構成を説明するＤ−Ｄ断面図である。
【図１２】固定部により清掃部が固定された状態を説明する部分斜視図である。
【図１３】図３のエアフィルタから清掃部を取り外す方法を説明する図である。
【図１４】図３のエアフィルタから清掃部を取り外す方法を説明する図である。
【図１５】図１４のエアフィルタから清掃部を取り外す方法を説明する図である。
【符号の説明】
【００５２】
１  空気調和機
３  室内機ユニット
５  室外機ユニット
１５  筐体
１７  吸込口（吸入部）
１９  吸込みグリル（枠体）
３１  エアフィルタ
３３  清掃部（塵埃除去部）
６３  ワイヤ（昇降部）
１１９  台座（枠体）
２５１  固定部
２６３  ロッド（検出部）
【図１】
2007232243.tif 000003
【図２】
2007232243.tif 000004
【図３】
2007232243.tif 000005
【図４】
2007232243.tif 000006
【図５】
2007232243.tif 000007
【図６】
2007232243.tif 000008
【図７】
2007232243.tif 000009
【図８】
2007232243.tif 000010
【図９】
2007232243.tif 000011
【図１０】
2007232243.tif 000012
【図１１】
2007232243.tif 000013
【図１２】
2007232243.tif 000014
【図１３】
2007232243.tif 000015
【図１４】
2007232243.tif 000016
【図１５】
2007232243.tif 000017